(57)【特許請求の範囲】
【請求項１】
少なくとも前側部分が前すぼまりの円錐形をなしその中心軸が水平線に対して前下がりであって前記前側部分の底面が水平線に対して前上がりに傾斜した姿勢で中心軸を中心として回転自由に配置され内部に水が貯溜されるようになっている筒体と、
該筒体を一方向に回転駆動する駆動手段と、
該筒体の後ろ側の開口から該筒体の前記前側部分に比重差のある２種以上の物質からなる混合物を投入する投入手段と、
該筒体の前記前側部分の内周面に形成されて、該筒体の回転により前記混合物の前記内周面に近接するものを該筒体の前側の開口の方向へ移送する方向にねじれた螺旋突条と、
前記筒体の前記前側部分の前端に中心軸方向へ設けた外管と、
該外管の中に挿通され前記筒体の前記前側部分の開口に達し前記筒体内に貯留された水に没する内管とからなり、
該内管から前記筒体に貯溜された水中に前記水を供給し、前記混合物のうち比重の大きい物質を下層に比重の小さい物質を上層に分離し、該内管と前記外管との間から前記比重の大きい物質と前記水とを排出し、比重の小さい物質を前記筒体の後ろ側の開口から排出するように構成したことを特徴とする比重差を利用した混合物の分離装置。
【発明の詳細な説明】
【０００１】
【発明の属する技術分野】
本発明は、比重差のある２種以上の物質からなる混合物を比重差を利用して分離する装置に関する。
【０００２】
【従来の技術】
都市ごみ、産業廃棄物等の廃棄物は、一般に、焼却した残りかすをそのまま埋め立て、または、残りかすを熔融処理したスラグを埋め立てて処分しているが、その中には銅などの有価金属が含まれている。
【０００３】
また、陶磁器原料である珪砂の原鉱から水洗により粘土分を取り除いた珪砂の中には重鉱物であるイルメナイト、クロマイトなどが含まれている。
【０００４】
さらに、これらの重鉱物を取り除いた珪砂の中にはキラや木屑などの不純物が含まれている。
【０００５】
従来、これらの混合物から不要なものを除去し、または、有価物を分離して取り出すために各種の装置が使用されているが、分離の精度及び能率の点において改良の余地があった。
【０００６】
【発明が解決しようとする課題】
本発明が解決しようとする課題は、混合物をより精度よく、かつ、能率よく分離することができる装置を提供することである。
【０００７】
【課題を解決するための手段、作用及び効果】
このような課題を解決するための手段として、請求項１の発明は、少なくとも前側部分が前すぼまりの円錐形をなしその中心軸が水平線に対して前下がりであって前記前側部分の底面が水平線に対して前上がりに傾斜した姿勢で中心軸を中心として回転自由に配置され内部に水が貯溜されるようになっている筒体と、該筒体を一方向に回転駆動する駆動手段と、該筒体の後ろ側の開口から該筒体の前記前側部分に比重差のある２種以上の物質からなる混合物を投入する投入手段と、該筒体の前記前側部分の内周面に形成されて、該筒体の回転により前記混合物の前記内周面に近接するものを該筒体の前側の開口の方向へ移送する方向にねじれた螺旋突条と、前記筒体の前記前側部分の前端に中心軸方向へ設けた外管と、該外管の中に挿通され前記筒体の前記前側部分の開口に達し前記筒体内に貯留された水に没する内管とからなり、該内管から前記筒体に貯溜された水中に前記水を供給し、前記混合物のうち比重の大きい物質を下層に比重の小さい物質を上層に分離し、該内管と前記外管との間から前記比重の大きい物質と前記水とを排出し、比重の小さい物質を前記筒体の後ろ側の開口から排出するように構成したものである。
【０００８】
このように構成したので、筒体の回転と供給される水により良好に撹はんされた混合物は比重の大きいものが下層に、小さいものが上層になるように分離され、下層になった比重の大きいものは螺旋突条のスクリューコンベアの作用により傾斜に逆らって前側に送られて前側の開口から放出されるとともに、上層になった比重の小さいものは傾斜に従って後ろ側に送られ後ろ側の開口から放出されるから、比重差のある混合物を精度よく、かつ、能率よく分離することができる。
【００１１】
【発明の実施の形態】
以下、本発明の一実施の形態を図１に基づいて説明する。
図において、１は上面が２０°の角度で前下がりの取付面２となっている基台であって、その取付面２の上部に２個のローラー４を横方向に間隔をあけて回転自由に支持したスタンド３が、下部には本発明ん駆動手段であるモーター５と、ボールベアリング６の外輪７を固定したスタンド９が、それぞれ、取付面２と直角をなすように取り付けられている。
【００１２】
１０は、前側部分１１が前すぼまりの円錐形をなし、後ろ側部分１２が円筒形をなす筒体であって、前側部分１１の前端に外管１５が筒体１０の中心軸Ｃと同心に、かつ、一体に接続されており、後ろ側部分１２の外周が上記ローラー４により支承されるとともに外管１５がボールベアリング６の内輪８に嵌着されることにより、筒体１０の中心軸Ｃは基台１の取付面２と同様に水平線に対して２０°の角度で前下がりに傾斜していて、モーター５の出力軸１６に固定されたスプロケット１７と外管１５に固定されたスプロケット１８との間に無端チェーン１９が掛け渡されて、モーター５の駆動により筒体１０と外管１５が、図１の回転中心軸Ｃの回りに描いた矢線Ｘの方向に回転するようになっている。
【００１３】
ここで、筒体１０の前側部分１１の頂角は６０°であるため、水平線に対して中心軸Ｃが２０°をなす前側部分１１の底面は水平線に対して１０°の前上がり傾斜となり、後ろ側部分１２の底面は水平線に対して２０°の後ろ上がり傾斜となる。
【００１４】
筒体１０の前側部分１１の内周面には、上記矢線Ｘ方向の回転によりその内周面に近接するものをスクリューコンベアの作用により外管１５と接続する前側の開口１３の方向へ移送する方向にねじられた螺旋突条２０が形成され、後ろ側部分１２の内周面にはその内周面に近接するものを後ろ側の開口１４の方向へ移送する逆方向にねじれた螺旋突条２１が形成されている。
【００１５】
外管１５の前端はボールベアリング２３により第１ハウジング２２に支持されているとともに、シールリング２４により第１ハウジング２２との間がシールされており、第１ハウジング２２には、注水筒２６と排出筒２７が突設された第２ハウジング２５が固定され、注水筒２６内端には外管１５の中心を通って筒体１０の前側の開口１３に達する内管２８が接続されていて、その注水筒２６の外端には給水管２９が接続されている。
【００１６】
また、排出筒２７の下方には通水性を有する第１タンク３０が、筒体１０の後端の下方には第２タンク３１が、それぞれ設置されている。
【００１７】
さらに、筒体１０の後ろ側の開口１４の上方には、ホッパー３２が配置され、その下端には、筒体１０内に挿入されて先端が前側部分１１内に達する本発明の投入手段である投入管３３が接続されている。
【００１８】
本実施の形態は上記構成になり、モーター５の駆動により、筒体１０を矢線Ｘ方向に回転させつつ、ホッパー３２内に比重差のある２種以上の成分からなる混合物ａを供給して投入管３３から筒体１０の前側部分１１内に投入し、かつ、内管２８から水を筒体１０内に供給すると、混合物ａは前側部分１１において撹はんされて比重の大きいものが下層に、小さいものが上層に分離される。
【００１９】
この撹はんは水ｂ内で行われるから、流動性が高められて分離が円滑に行われる。
【００２０】
そして、下層になった比重の大きい物質は螺旋突条２０の回転によるスクリューコンベアの作用により重力に逆らって前側へ移送され開口１３から、水とともに外管１５と内管２８の間を通って、第２ハウジング２５の排出筒２７から第１タンク３０内に落下し、水分が除かれて比重の大きい物質だけが第１タンク３０内に溜まる。
【００２１】
一方、筒体１０の前側部分１１内において上層となった比重の小さい物質は重力により後ろ側へ移動し、後ろ側部分１２に達して螺旋突条２１の回転によるスクリューコンベアの作用により重力に逆らって後ろ側へ移送され開口１４から第２タンク３１内に落下し、貯溜される。
【００２２】
このようにして、比重の大きい物質と小さい物質が分離される。
【図面の簡単な説明】
【図１】本発明の一実施の形態の断面図である。
【符号の説明】
５：モーター（駆動手段）
１０：筒体
１１：前側部分
１２：後ろ側部分
１３：（前側の）開口
１４：（後ろ側の）開口
１５：外管
２０：螺旋突条
２１：螺旋突条
２８：内管
３３：投入管（投入手段）
Ｃ：中心軸
【図１】
0004274610.tif 000002